(57)【要約】【課題】戸板の移動や折り畳みを長期間の使用に渡ってスムーズにすると共に、故障や劣化が少なく、窓枠部分を完全に開放できる折れ戸用枠体、折れ戸、折れ戸つき窓を提供する。【解決手段】本発明の折れ戸用枠体は、吊り戸板５と移動戸板６を挟んで対向する一対の第１縦枠２と第２縦枠３と、第１縦枠２と第２縦枠３とを接続する横枠４と、横枠４に形成される移動戸板６の案内溝８を備え、案内溝８は、所定の始点９と所定の終点１０を有すると共に、始点９から終点１０にかけて斜めかつ屈折せずに形成される。【選択図】図１
2010007372.tif 000002
【特許請求の範囲】
【請求項１】
吊り戸板と移動戸板を挟んで対向する一対の第１縦枠と第２縦枠と、
前記第１縦枠と前記第２縦枠とを接続する横枠と、
前記横枠に形成される前記移動戸板の案内溝を備え、
前記案内溝は、所定の始点と所定の終点を有すると共に、前記始点から前記終点にかけて斜めかつ屈折せずに形成される折れ戸用枠体。
【請求項２】
前記第１縦枠は、所定の軸支位置において前記固定戸板を軸支し、
前記案内溝は、前記案内溝に嵌合する前記移動戸板に取り付けられた案内子の摺動により、前記移動戸板を移動させ、前記吊り戸板および前記移動戸板の伸長時における前記案内子の位置を前記始点とし、前記軸支位置側を前記終点とし、
前記始点は、前記軸支位置と前記横枠とが略平行に形成する仮想直線に対して、前記移動戸板の前面から前記案内子までの厚み分、背側に位置し、
前記終点は、前記仮想直線に対して、前記吊り戸板の厚みに前記移動戸板の背面から前記案内子までの厚みを加えた厚み分、表側に位置する請求項１記載の折れ戸用枠体。
【請求項３】
対向する一対の第１縦枠と第２縦枠と、
前記第１縦枠と前記第２縦枠とを接続すると共に案内溝を有する横枠と、
前記第１縦枠および前記第２縦枠の少なくとも一方の所定の軸支位置において一端が軸支される吊り戸板と、
前記軸支位置と逆側の一端における接続位置で前記吊り戸板と折り曲げ可能に接続される移動戸板を備え、
前記移動戸板は、前記案内溝と摺動可能に嵌合する案内子を有し、前記案内子が前記案内溝を移動することにより、前記移動戸板は移動可能であり、
前記案内溝は、所定の始点と所定の終点を有すると共に、前記始点から前記終点にかけて斜めかつ屈折せずに形成される折れ戸。
【請求項４】
前記吊り戸板および前記移動戸板それぞれの、前記横枠に対応する横幅は、略同一である請求項３記載の折れ戸。
【請求項５】
前記案内溝は、所定の始点と終点を有し、前記吊り戸板および前記移動戸板の伸長時における前記案内子の位置を前記始点とし、前記軸支位置側を前記終点とし、
前記始点は、前記軸支位置が前記横枠と略平行に形成する仮想直線に対して、前記移動戸板の前面から前記案内子までの厚み分、背側に位置し、
前記終点は、前記仮想直線に対して、前記吊り戸板の厚みに前記移動戸板の背面から前記案内子までの厚みを加えた厚み分、表側に位置する請求項３から４のいずれか記載の折れ戸。
【請求項６】
前記案内子が前記終点付近まで摺動した場合には、前記吊り戸板と前記移動戸板とは、前記軸支位置を基点に回動可能であり、
前記吊り戸板と前記移動戸板とが、前記横枠に対して略平行になる位置まで、前記案内子は前記案内溝を摺動可能である請求項３から５のいずれか記載の折れ戸。
【請求項７】
前記接続位置において、前記吊り戸板と前記移動戸板との間に中間戸板が接続可能である請求項３から６のいずれか記載の折れ戸。
【請求項８】
前記横枠と対向し、前記第１縦枠と前記第２縦枠とを接続する支持枠をさらに備える請求項３から７のいずれか記載の折れ戸。
【請求項９】
前記第１縦枠、前記第２縦枠、前記横枠および前記支持枠に囲まれて内部空間が形成され、前記吊り戸板および前記移動戸板は、閉鎖時に前記内部空間の少なくとも一部を封鎖し、開放時に前記内部空間を略完全に開放する請求項３から８のいずれか記載の折れ戸。
【請求項１０】
請求項３から９のいずれか記載の折れ戸と、
前記折れ戸の背面に設けられた窓を備える、折れ戸つき窓。
【発明の詳細な説明】
【技術分野】
【０００１】
本発明は、住宅やビルなどの窓枠や雨戸などに取り付けられたり、扉を有する家具の扉として取り付けられたりする、折れ戸用枠体、折れ戸、折れ戸つき窓に関するものである。
【背景技術】
【０００２】
住宅やビルの窓や雨戸には、カーテンやブラインド以外に、スライド式に開閉できる障子が取り付けられていることが多い。特に、窓や雨戸のある部屋が和風の部屋であったり、重厚感や高級感の部屋であったりする場合には、障子（紙の障子や木材の障子などがありうる）が取り付けられることがある。このような障子は、スライド式で開閉されるので、窓や雨戸を完全に開放できない問題がある。完全に開放できないと、部屋の採光が弱まるだけでなく、部屋の開放感が弱まる問題もある。このため、窓の室内側に折れ戸を設けることが行われる。
【０００３】
しかし、折れ戸は吊手側の端部に、戸板を寄せることができるが、そのままでは折れ曲がった戸板が部屋に向かって突出してしまう。このため、吊手側に折り曲げた戸板を、更に折畳む技術が提案されている（例えば、特許文献１、特許文献２参照）。これらの技術は、折り曲げた戸板を折畳むために、戸板を移動するのに必要となる第１案内溝と、この案内溝と屈折してつながって、移動した戸板が折畳まれるのに使用される第２案内溝を利用している。
【０００４】
特許文献１は、吊手側の折戸障子と折戸障子に接続された開き端の折戸障子を備えており、開き端の折戸障子の上下端に案内部材を設け、上枠とした枠に設けられた案内溝に対する案内部材の移動により折戸障子が折畳まれる折戸を開示している。ここで、案内溝は、特許文献１の図８ｂに記載されているように、直線状の案内溝に続いて屈折部から折れ曲がった曲線状の案内溝を有している。折戸障子に設けられている案内部材が直線状の案内溝と曲線状の案内溝の境界である屈折部に到達すると、この案内部材が曲線状の案内溝に入り込む。案内部材が曲線状の案内溝に入り込むと、折戸障子が下枠よりも前に出つつ、折戸障子が下枠と略平行になるまで折畳まれる。
【０００５】
一方、特許文献２は、特許文献１で用いられている曲線状の案内溝が室内に大きく突出して見栄えを悪くするのを防止する目的を有している。
【０００６】
特許文献２は、移動する折戸にアームを取り付けて、取り付けられたアームには、２つの案内部材が設けられて、２つの案内部材がそれぞれ異なる案内溝に沿って移動する折れ戸を開示する。２つの案内溝は、室内側と窓側のそれぞれの溝を有しており、窓側の溝は、吊手側で屈折部を有しており、屈折した後の溝は、案内部材を窓側に逃がす。この結果、折戸が折れ曲がるとアームが枠に対して垂直となって、折戸が枠に対して略平行に折畳まれる。
【０００７】
このように、従来の技術における折れ戸は、いずれも直線状の案内溝に屈折部を介してつながる溝を有することで、戸板を折り曲げると共に折畳んでいる。
【特許文献１】実公平２−８０７０号公報
【特許文献２】特許２５７５３２８号公報
【発明の開示】
【発明が解決しようとする課題】
【０００８】
しかしながら、従来技術には下記のような問題があった。
【０００９】
特許文献１が開示する折戸および特許文献２が開示する折れ戸では、いずれも移動する戸板を移動させる案内溝が、途中に屈折部を有している。屈折部までの案内溝は移動する戸板が開放されるのに用いられ、屈折部からの案内溝は移動する戸板と吊り手側の戸板を折畳むのに用いられる。
【００１０】
このように案内溝が屈折部を有していると、案内部材の移動がスムーズでなくなることが多くなる問題がある。戸板を移動させる案内部材が、屈折部に引っかかったりするからである。特に、戸板が設置されてから時間が経つと、案内溝と案内部材のすべりが悪くなるので、屈折部における案内部材の移動はますます悪くなりやすい。このように案内溝における案内部材の動きがスムーズでないために、使用者は戸板を強い力で移動させる必要があって負担が大きい問題もある。案内部材の動きが悪くなったために、使用者が強い力で戸板を移動させると折れ戸を破損させたりするきっかけとなる問題もある。
【００１１】
また、特許文献１、２に開示されている図面から明らかな通り、溝の屈折部を活用して戸板を折り畳む構造の場合には、吊手側の戸板と移動側の戸板の幅を異ならせる必要がある。このため見た目が悪くなる問題もあるし、製造工程でのコストが高くなる問題もある。これは、途中まで直線状の案内溝を移動した後に、屈折部から折れ曲がった案内溝を戸板が移動することで折畳まれる構造であるが故に、吊手側と移動側の戸板の幅を異ならせる必要があるからである。
【００１２】
加えて、戸板を折畳んだとしても、戸板の幅が異なるために、窓に戸板の根元が残ってしまい、窓を完全に開放できない問題がある。特許文献１では、屈折部の後の曲線状溝を移動するために、移動側の戸板が窓枠の中に残る。特許文献２では、横枠の内側に溝を形成し、アームを使って移動側の戸板を移動させるために、移動側の戸板が横枠の内側である窓枠の中に残る。特許文献１、２のいずれにおいても、戸板を折畳んだ状態にあっても、戸板の一部が窓枠内部に残って、窓枠のすべてを開放できない問題がある。
【００１３】
また、特許文献２の折れ戸は、アームを必要とするので、時間が経つにつれて移動が悪くなりやすい問題も有している。アームと案内部材との関節部分、アームと戸板との関節部分と、戸板から案内溝までには２つの関節部分を有することになるので、それだけ動作しにくくなったり故障したりする原因が多い。また、アームの劣化によって戸板の移動が困難になる問題も生じる。特に、アームを利用した折れ戸が様々に提案されているが、折れ戸の開閉において戸板とアームの接続部分、アームと枠との接続部分の２箇所が、動作の機構部分となるので、それだけ操作性が悪くなりやすい。もちろん、機構部分が増えることで、故障や劣化も生じやすい。また、戸板が移動して折畳まれても、アーム部分が、開放された内部空間に残るので、視覚性や景観も悪く、開放感に欠ける問題もある。
【００１４】
本発明は、上記課題に鑑み、戸板の移動や折り畳みを長期間の使用に渡ってスムーズにすると共に、故障や劣化が少なく、窓枠部分を完全に開放できる折れ戸用枠体、折れ戸、折れ戸つき窓を提供することを目的とする。
【課題を解決するための手段】
【００１５】
上記課題を解決するために、本発明の折れ戸用枠体は、吊り戸板と移動戸板を挟んで対向する一対の第１縦枠と第２縦枠と、第１縦枠と第２縦枠とを接続する横枠と、横枠に形成される移動戸板の案内溝を備え、案内溝は、所定の始点と所定の終点を有すると共に、始点から終点にかけて斜めかつ屈折せずに形成される。
【発明の効果】
【００１６】
本発明によれば、戸板の開閉時の移動や折り畳みがスムーズに行える。また、使用期間が長期に渡っても、劣化や故障が少ない。力の弱い女性や子供、老人であっても容易に戸板の開閉を行える。
【００１７】
また、吊り戸板と移動戸板の幅が同一にできるので、製造コストを抑えることもできる。
【００１８】
加えて、移動戸板を窓枠の外部まで移動させて折畳むことができるので、窓枠の中に戸板が残ることがなく、戸板が折畳まれると窓が完全に開放される。
【００１９】
以上の結果、耐久性に優れて使いやすく、室内の開放感を高める折れ戸用枠体、折れ戸、折れ戸つき窓が提供できる上に、快適な居住空間が提供できる。
【発明を実施するための最良の形態】
【００２０】
本明細書において、吊り戸板および移動戸板をまとめて戸板と呼ぶこともある。
【００２１】
本発明の第１の発明に係る折れ戸用枠体は、吊り戸板と移動戸板を挟んで対向する一対の第１縦枠と第２縦枠と、第１縦枠と第２縦枠とを接続する横枠と、横枠に形成される移動戸板の案内溝を備え、
案内溝は、所定の始点と所定の終点を有すると共に、始点から終点にかけて斜めかつ屈折せずに形成される。
【００２２】
この構成により、戸板は、引っかかったり詰まったりすることなくスムーズに移動する。使用期間が長くなっても、戸板の移動が困難となることが少ない。
【００２３】
本発明の第２の発明に係る折れ戸用枠体では、第１縦枠は、所定の軸支位置において固定戸板を軸支し、案内溝は、案内溝に嵌合する移動戸板に取り付けられた案内子の摺動により、移動戸板を移動させ、吊り戸板および移動戸板の伸長時における案内子の位置を始点とし、軸支位置側を終点とし、始点は、軸支位置と横枠とが略平行に形成する仮想直線に対して、移動戸板の前面から案内子までの厚み分、背側に位置し、終点は、仮想直線に対して、吊り戸板の厚みに移動戸板の背面から案内子までの厚みを加えた厚み分、表側に位置する。
【００２４】
この構成により、吊り戸板と移動戸板とが同じ幅となり、いずれも移動して折畳まれた場合に、吊り戸板および移動戸板のいずれもが内部空間に残ることがない。このため、内部空間が完全に開放される。
【００２５】
本発明の第３の発明に係る折れ戸は、対向する一対の第１縦枠と第２縦枠と、第１縦枠と第２縦枠とを接続すると共に案内溝を有する横枠と、第１縦枠および第２縦枠の少なくとも一方の所定の軸支位置において一端が軸支される吊り戸板と、軸支位置と逆側の一端における接続位置で吊り戸板と折り曲げ可能に接続される移動戸板を備え、移動戸板は、案内溝と摺動可能に嵌合する案内子を有し、案内子が案内溝を移動することにより、移動戸板は移動可能であり、
案内溝は、所定の始点と所定の終点を有すると共に、始点から終点にかけて斜めかつ屈折せずに形成される。
【００２６】
この構成により、折れ戸の戸板は、引っかかったり詰まったりすることなくスムーズに移動する。使用期間が長くなっても、戸板の移動が困難となることが少ない。
【００２７】
本発明の第４の発明に係る折れ戸では、第３の発明に加えて、吊り戸板および移動戸板それぞれの、横枠に対応する横幅は、略同一である。
【００２８】
本発明の第５の発明に係る折れ戸では、第３から第４のいずれかの発明に加えて、案内溝は、所定の始点と終点を有し、吊り戸板および移動戸板の伸長時における案内子の位置を始点とし、軸支位置側を終点とし、始点は、軸支位置が横枠と略平行に形成する仮想直線に対して、移動戸板の前面から案内子までの厚み分、背側に位置し、終点は、仮想直線に対して、吊り戸板の厚みに移動戸板の背面から案内子までの厚みを加えた厚み分、表側に位置する。
【００２９】
これらの構成により、戸板は、横枠に対して略平行に折畳まれる。加えて戸板は、内部空間から完全に外部に外れるところまで折畳まれ、内部空間は完全に開放される。結果として、室内の開放感と窓からの眺めが高まる。
【００３０】
本発明の第６の発明に係る折れ戸では、第３から第５のいずれかの発明に加えて、案内子が終点付近まで摺動した場合には、吊り戸板と移動戸板とは、軸支位置を基点に回動可能であり、吊り戸板と移動戸板とが、横枠に対して略平行になる位置まで、案内子は案内溝を摺動可能である。
【００３１】
この構成により、戸板は、横枠に対して略平行の位置まで折畳まれる。また、移動戸板の先端であって案内子がもうけられている位置が、吊り戸板の軸支位置を基点に折畳まれるので、戸板は、内部空間から完全に外に外れる。
【００３２】
本発明の第７の発明に係る折れ戸では、第３から第６のいずれかの発明に加えて、接続位置において、吊り戸板と移動戸板との間に中間戸板が接続可能である。
【００３３】
この構成により、折れ戸は、大きな窓枠にも対応可能である。
【００３４】
本発明の第８の発明に係る折れ戸では、第３から第７のいずれかの発明に加えて、横枠と対向し、第１縦枠と第２縦枠とを接続する支持枠をさらに備える。
【００３５】
この構成により、枠体の強度が増す。
【００３６】
本発明の第９の発明に係る折れ戸では、第３から第８のいずれかの発明に加えて、第１縦枠、第２縦枠、横枠および支持枠に囲まれて内部空間が形成され、吊り戸板および移動戸板は、閉鎖時に内部空間の少なくとも一部を封鎖し、開放時に内部空間を略完全に開放する。
【００３７】
この構成により、折れ戸は、家屋や建物における窓枠に、最適に取り付けられる。
【００３８】
以下、図面を用いて実施の形態について説明する。
【００３９】
なお、本明細書において、戸とは、木材、樹脂、金属、紙材、合成木材、皮革材など、種々の素材で形成された窓や雨戸の室内側に設けられる部材である。
【００４０】
（実施の形態１)
（全体概要）
まず、折れ戸の全体概要について図1を用いて説明する。
【００４１】
図１は、本発明の実施の形態1における折れ戸の斜視図である。なお、図１は、斜め上方向から見た斜視図となっているので、枠の内側に設けられた要素については、図１においては、視覚上認識できない状態である。しかし、他の図とその説明において明確になるものである。
【００４２】
折れ戸１は、第１縦枠２と第２縦枠３を床面に対して略垂直（垂直である必要はなく、床面に対して交差する方向であればよい）に備え、この第１縦枠２と第２縦枠３は、一対として対向する。第１縦枠２と第２縦枠３は、吊り戸板５と移動戸板６を挟んで対向する。
【００４３】
更に、折れ戸１は、この第１縦枠２と第２縦枠３を横方向に接続する横枠４を備え、この第１縦枠２、第２縦枠３および横枠４が、折れ戸１用の枠体２０を形成する。枠体２０は、すなわち窓枠に対向する内部空間２１を形成する。折れ戸１は、その外側に窓を有しており、内部空間２１は、窓が形成する空間に対向する。折れ戸１は、窓の室内側に設けられ、窓を可視とするように内部空間２１を開放したり、窓を不可視とするように内部空間２１を閉鎖したりする機能を有する。
【００４４】
横枠４は、移動戸板６の移動のための案内溝８（図１では、横枠４の下面であって図１からは視認できない）を備えている。案内溝８は、始点９と終点１０を有しており、横枠４において、始点９から終点１０にかけて斜めかつ屈折せずに形成されている。ここで、屈折せずとは、案内溝８が、始点９から終点１０において、折れ曲がった部分を有していないことである。
【００４５】
吊り戸板５は、第１縦枠２に軸支位置１１において軸支された戸板である。移動戸板６は、吊り戸板５と軸支位置１１と逆側である接続位置１２において吊り戸板５と折り曲げ可能に接続されている。移動戸板６は案内溝８に嵌合する案内子７を有しており、案内子７が案内溝８を摺動することで、移動戸板６は、案内溝８にしたがって移動する。
【００４６】
折れ戸１は、吊り戸板５と移動戸板６の移動動作によって、窓に対向する内部空間２１の閉鎖と開放を実現する。
【００４７】
内部空間２１は、吊り戸板５と移動戸板６により埋められる。すなわち、吊り戸板５と移動戸板６が伸張している状態では、内部空間２１は、閉鎖されている。移動戸板６の案内溝８に従う移動によって、内部空間２１は、徐々に開放される。内部空間２１が閉鎖されていることで、室内から窓が不可視となる。内部空間２１が開放されることで、室内から窓が可視となって開放される。
【００４８】
次に、図２〜図４を用いて、折れ戸１の開閉動作の概要について説明する。
【００４９】
（動作概要）
移動戸板６は、案内子７が案内溝８を摺動することで位置を移動する。ここで移動戸板６は、吊り戸板５と接続位置１２において折り曲げ可能に接続されているので、移動戸板６が案内溝８にしたがって移動すると、接続位置１２が室内側に出っ張る。この出っ張りに合わせて吊り戸板５も軸支位置１１側に押し出される。移動戸板６の位置が、軸支位置１１に近づくにつれて吊り戸板５も軸支位置１１に近づき、内部空間２１の開放が進む。更に、移動戸板６の移動が進むと、吊り戸板５と移動戸板６とが合わさって回動して、吊り戸板５と移動戸板６とが折畳まれる。最終的には、内部空間２１がすべて開放されると共に戸板が室内側に出っ張ることもなく折畳まれる。このように吊り戸板５と移動戸板６の働きにより、内部空間の開放と閉鎖が行われる。
【００５０】
図２は、本発明の実施の形態１における折れ戸の斜視図である。図２は、図１に示されるように、閉鎖されていた戸板が少しだけ開かれた状態を示している。移動戸板６は、たとえばノブ２５を有しており、使用者はこのノブ２５を引くことで、移動戸板６を移動させることができる。ノブ２５が引かれると、移動戸板６に設けられている案内子７が案内溝８を摺動して、移動戸板６の位置が変化する。このとき、移動戸板６は、室内側に出っ張りながら移動する。移動戸板６と接続位置１２で折り曲げ可能に接続されている吊り戸板５は、移動戸板６に押し出されるように、略くの字を描いて室内側に出っ張り始める。
【００５１】
このとき案内子７は、斜めかつ屈折のない案内溝８を摺動するので、案内溝８において、案内子７が引っかかったり、動きにくくなったりすることはない。案内子７は、案内溝８をスムーズに移動する。すなわち、移動戸板６もスムーズに移動する。
【００５２】
移動戸板６の移動が更に進むと、図３に示されるように、移動戸板６と吊り戸板５とが完全に合わさって、軸支位置１１を有する第１縦枠２まで移動する。図３は、本発明の実施の形態１における折れ戸の斜視図である。図３は、移動戸板６と吊り戸板５とが完全に第１縦枠２まで移動した状態を示している。
【００５３】
図３に示される状態まで移動戸板６と吊り戸板５とが移動すると、内部空間２１が完全に開放され、室内にいる居住者が窓をすべて視認することができるようになる。ただし、図３の状態では、第１縦枠２まで移動した移動戸板６と吊り戸板５とが室内側に出っ張ったままであるので、室内における開放感が阻害される。
【００５４】
第１縦枠２まで移動して相互に合わさった移動戸板６と吊り戸板５とは、案内溝８に沿って回動可能である。案内溝８は、移動戸板６と吊り戸板５とが横枠４に対して略平行となる位置まで回動できるように、終点１０を有している。このため、図４に示されるように、移動戸板６と吊り戸板５とは、横枠４に対して略平行となる位置まで折畳まれる。
【００５５】
図４は、本発明の実施の形態１における折れ戸の斜視図である。図４は、移動戸板６と吊り戸板５とが回動して横枠４に略平行となる位置まで折畳まれた状態を示している。
【００５６】
案内溝８は、第１縦枠２の位置を越える位置まで延伸しているので、図３に示されるように相互に合わさった移動戸板６と吊り戸板５とは、更に移動できる。すなわち、案内子７は、移動戸板６と吊り戸板５とが、図３に示されるように相互に合わさる位置まで到達するだけでなく、更に斜めに延びる案内溝８を移動できる。この案内子７の移動により、移動戸板６は、吊り戸板５を押すように回動する。吊り戸板５は軸支位置１１で軸支されているので、移動戸板６から押される力によって、吊り戸板５は軸支位置１１を基点に回動するからである。移動戸板６は、吊り戸板５に合わさっているので、吊り戸板５の回動に合わせて、軸支位置１１を基点にやはり回動する。
【００５７】
このように、第１縦枠２を超える位置まで斜めに延伸した案内溝８を、案内子７が移動することにより、移動戸板６と吊り戸板５とは、軸支位置１１を基点に回動する。回動の結果、図４に示されるように、移動戸板６と吊り戸板５とは、横枠４に対して略平行になるように、折畳まれる。内部空間２１は、完全に開放されて室内の開放感が得られる。更に戸板が室内に出っ張ることもなくなり、内部空間２１の開放感と合わせて室内の開放感が高まる。
【００５８】
ここで、実施の形態１における案内溝８は、始点９から終点１０にかけて斜めかつ屈折せずに形成されている。このため、案内溝８と嵌合して摺動する案内子７は、屈折部分を経由する必要がないので、スムーズに動作する。このため、従来の折れ戸と異なり、移動戸板６の移動がスムーズであって、使用期間の経過と共に、移動動作が困難になることもない。また、力の弱い子供、女性、老人であっても、苦もなく移動戸板６を動かせる。
【００５９】
特に、従来技術の折れ戸では、移動した移動戸板と吊り戸板との回動において、使用者は、案内溝の屈折部を経由させる必要があり、力を要していた。この屈折部を経由させるために、案内溝や案内子の損傷が生じて、使用期間の経過と共に、移動動作の困難性が増していた。
【００６０】
これに対して、実施の形態１の折れ戸１では、案内溝８は屈折部を有していないので、案内子７が案内溝８の中で引っかかったり、止まったりすることがほとんどない。このため、案内子７の案内溝８における移動動作は非常にスムーズであり、使用期間の経過によって案内子７の案内溝８における動作が悪くなることも少ない。
【００６１】
このように、実施の形態１の折れ戸１では、戸板の開閉がスムーズであり、時間経過と共に発生しがちな動作不良も軽減できるメリットがある。
【００６２】
次に、各部の詳細について説明する。
【００６３】
（縦枠）
折れ戸１は、第１縦枠２と第２縦枠３を備えている。
【００６４】
第１縦枠２と第２縦枠３は、吊り戸板５と移動戸板６を挟んで対向する一対の縦枠である。木材、金属、樹脂、合成木材、紙材、皮革材など種々の素材で形成されればよく、表面に模様や色彩などの処理が施されていてもよい。第１縦枠２と第２縦枠３は、床面に対して交差するように構成され、一般的には床面に略垂直に構成される。また、横枠４と共に内部空間２１を形成するので、折れ戸１が対象とする窓の両端に、第１縦枠２と第２縦枠３が位置していることが適当である。
【００６５】
第１縦枠２と第２縦枠３は、便宜上、第１、第２と記載されているだけで、特段区別されるものではない。また、第１縦枠２と第２縦枠３は、一対であって対向するが、その形状や素材が相互に異なっていてもよい。たとえば、第１縦枠２と第２縦枠３の少なくとも一方は、吊り戸板５を軸支する（１枚の吊り戸板と１枚の移動戸板で構成される戸板の場合には、第１縦枠２と第２縦枠３のいずれか一方が軸支側となる。対して、２枚の吊り戸板と２枚以上の移動戸板で構成される戸板の場合には、第１縦枠２と第２縦枠３の両方が軸支側となる）。軸支位置１１は、第１縦枠２および第２縦枠３の少なくとも一方の所定位置である。所定位置は吊り戸板５が第1縦枠２および第２縦枠３の少なくとも一方の前面（室内側の面）において折畳まれる位置であればどこでもよいが、軸支位置１１において、吊り戸板５が蝶番で軸支される場合には、第1縦枠２および第２縦枠３の少なくとも一方の前面（室内側）であることが適当である。軸支位置１１が室内側に設けられることで、吊り戸板５と移動戸板６が、軸支位置１１を基点に折畳まれるからである。もちろん、軸支位置１１が、第１縦枠２および第２縦枠３の中途の位置に設けられても良い。例えば、隠し蝶番のような部品によって、吊り戸板５が第１縦枠２および第２縦枠３の少なくとも一方の前面において折畳まれれば、軸支位置１１は、第１縦枠２および第２縦枠３の少なくとも一方の前面ではなく、内側に入った箇所に位置しても良い。
【００６６】
第１縦枠２と第２縦枠３は、対向する窓にあわせた形状や大きさを有していればよい。
【００６７】
（横枠）
横枠４は、第１縦枠２と第２縦枠３を接続する。図１においては、横枠４は、第１縦枠２と第２縦枠３の上部同士を結んで接続しているが、上部以外の中間部や下部同士を結んで接続してもよい。横枠４は、第１縦枠２と第２縦枠３を固定すると共に第１縦枠２と第２縦枠３と合わせて、内部空間２１を形成する。内部空間２１の大きさや形状は種々に定められればよいが、対向する窓の大きさや形状に従って定められればよい。
【００６８】
また、横枠４は、移動戸板６を移動する基準となる案内溝８を有している。横枠４が、第１縦枠２と第２縦枠３の上部同士を接続する場合には、案内溝８は、横枠４の下面に形成され、横枠４が、第１枠体２と第２枠体３の下部同士を接続する場合には、案内溝８は、横枠４の上面に形成される。
【００６９】
（吊り戸板と移動戸板）
吊り戸板５は、内部空間２１の開放と閉鎖を行う戸板の内、第１縦枠２および第２縦枠３の少なくとも一方に軸支されている戸板である。このため、軸支位置１１においては、吊り戸板５は移動せず、移動戸板６の移動に伴って、吊り戸板５は移動する。吊り戸板５が軸支位置１１において軸支されているので、吊り戸板５と移動戸板６は、この軸支位置１１を基準に移動や回動を行う。なお、吊り戸板５と移動戸板６は、接続位置１２において、蝶番により接続される。もちろん、吊り戸板５と移動戸板６とは、蝶番以外の折れ曲がり可能に２つの部材を接続する部品により接続されれば良い。
【００７０】
吊り戸板５と移動戸板６とは、いずれも木材、金属、樹脂、合成木材、紙材、皮革材など種々の素材で形成されればよく、表面に模様や色彩などの処理が施されていてもよい。また、第１縦枠２、第２縦枠３、横枠４と同一素材や同一模様であってもよく、異なる素材や模様であってもよい。
【００７１】
また、吊り戸板５と移動戸板６とは、１枚ずつでもよく、少なくとも一方が複数枚であってもよい。また、吊り戸板５と移動戸板６との間に中間戸板が設けられてもよい。吊り戸板５と移動戸板６の少なくとも一方が複数枚であったり、中間戸板が設けられたりする場合には、戸板全体は屏風のような形態で開閉を行う。
【００７２】
なお、吊り戸板５と移動戸板６は、内部空間２１を完全に閉鎖できることが通常であるが、設計の都合や室内のインテリアとの関連によって多少の相違があってもよい。
【００７３】
（案内溝）
次に案内溝８における動作の詳細を、図５、図６を用いて説明する。
【００７４】
図５は、本発明の実施の形態１における案内溝での移動動作を示す説明図である。図５は、案内溝８と戸板を下から見た状態を示している。
【００７５】
まず、図５（a）は、吊り戸板５と移動戸板６が伸長しており、内部空間２１を閉鎖している状態を示している。吊り戸板５は、軸支位置１１において第１縦枠２に軸支されている。ここで、軸支位置１１は、第１縦枠２の前面（すなわち室内側）に設けられる。なお、軸支位置１１が、第１縦枠２の前面に位置することは必須ではなく、第１縦枠２の内側に入った箇所に位置しても良い。吊り戸板５が、第１縦枠２および第２縦枠３の少なくとも一方の前面で折畳まれれば、軸支位置１１の位置は、厳密には限定されない。要は、吊り戸板５が第1縦枠２および第２縦枠３の少なくとも一方の前面において折畳まれれば、軸支位置１１は、所定の位置であってどのような位置でもよい。
【００７６】
移動戸板６は、吊り戸板５と接続位置１２で接続されており、接続位置１２を基点に、移動戸板６は吊り戸板５に対して折り曲げ可能である。移動戸板６は、接続位置１２と逆側の端部が、第２縦枠３に接している。ただし、これは戸板が２枚（１枚の吊り戸板５と１枚の移動戸板６）である場合であり、戸板が４枚などの場合には、移動戸板６は第２縦枠３に接しないこともある。また、移動戸板６は、その先端に案内溝８と嵌合する案内子７を有している。
【００７７】
横枠４は、案内溝８を備えている。案内溝８は、図５（a）より明らかな通り、始点９から終点１０にかけて斜めかつ屈折せずに形成されている。また、案内溝８は、始点９と終点１０を有しており、始点９は吊り戸板５と移動戸板６とが伸長している（すなわち内部空間２１を閉鎖している）状態での、案内子７が存在する位置であり、終点１０は、第１縦枠２を超える位置である。第１縦枠２を越える位置まで案内溝８が設けられていることで、案内子７は、第１縦枠２を超えて移動できる。
【００７８】
なお、始点９は、案内溝８において、吊り戸板５と移動戸板６とが伸長時（内部空間２１の閉鎖時）に、移動戸板６が有する案内子７が接する箇所であり、終点１０は、吊り戸板５と移動戸板６とが折畳まれるときに、案内子７が接する箇所である。案内溝８は、この始点９から終点１０の区間において、斜めであってかつ屈折部を有していない。たとえば、吊り戸板５や移動戸板６の数が増えて、横枠４が複数の案内溝８を一連に設ける場合には、複数の案内溝８同士が接続することで、屈折部が生じ得るが、これは、始点９から終点１０にかけた区間における屈折部ではない。たとえば、２つの案内溝８がそれぞれの始点９同士で接続されて、この接続部分が屈折部を生じさせる。このときは、あくまでも始点９同士が接続する部分において屈折部が生じているのであり、本発明の要素である「始点９から終点１０にかけて斜めであってかつ屈折部がない」とは相違する。
【００７９】
案内溝８の構成について図６を用いて説明する。図６は、本発明の実施の形態１における案内溝の説明図である。
【００８０】
案内溝８は、図６（a）に示されるとおり、横枠４に形成され、斜めかつ屈折部なく形成されている。案内溝８は、斜めに延伸するので、案内溝８に嵌合する案内子７は、この線上に沿って摺動する。また、案内溝８の始点９と終点１０は、図６（ｂ）に示される位置に存在する。
【００８１】
始点９は、軸支位置１１が横枠４と略平行に形成する仮想直線３０に対して、背側へ厚みαだけ移動した位置に存在する。すなわち厚みα分だけ、仮想直線３０の背側に位置する。ここで、厚みαは、移動戸板６の前面３１（室内側の面）から案内子７までの長さで定まる。
【００８２】
終点１０は、仮想直線３０に対して、厚みβだけ表側（室内側）に移動した位置に存在する。すなわち厚みβ分だけ、仮想直線３０の表側に位置する。ここで、厚みβは、吊り戸板５の厚みに移動戸板６の背面から案内子７までの厚みを加えた長さで定まる。
【００８３】
案内溝８の始点９と終点１０とがこのように設けられることで、吊り戸板５と移動戸板６とが伸長状態から折畳み状態となるまで、案内子７は、案内溝８を移動できる。言い換えると、案内溝８の始点９と終点１０とがこのように設けられることで、吊り戸板５と移動戸板６とは、折畳まれる状態まで移動できる。
【００８４】
戸板の移動の説明に戻る。
【００８５】
図５（ｂ）は、案内子７が、少し移動した状態を示している。
【００８６】
案内子７は、案内溝８を摺動して移動する。図５（ｂ）に示されるように、案内子７が案内溝８を移動すると、当然ながら移動戸板６も移動する。移動戸板６が移動すると、接続部１２を基点に折れ曲がりながら、移動戸板６が吊り戸板５を押し出す。この結果、吊り戸板５と移動戸板６とは、室内側に略くの字に出っ張りながら折れ曲がる。内部空間２１が、少しずつ開放される。案内子７の移動が進むと、図５（ｃ）の状態に変わる。
【００８７】
図５（ｃ）は、案内子７が移動して、内部空間２１の大半が開放された状態を示している。
【００８８】
案内子７の移動が進むと、移動戸板６の移動も進み、吊り戸板５と移動戸板６は、更に室内側に出っ張る。加えて、内部空間２１の開放も進む。案内子７は、斜めの案内溝８をそのまま進む。更に案内子７の移動が進むと、図５（ｄ）の状態に変わる。
【００８９】
図５（ｄ）は、移動戸板６が吊り戸板５に接するように合わさった状態を示している。
【００９０】
移動戸板６の移動が進むことで、移動戸板６は、吊り戸板５に近づき、更には接する。このとき、案内溝８は、案内子７の移動余地をまだ残している。案内溝８が案内子７の移動余地を残しているので、案内子７は、案内溝８を更に移動できる。このとき、案内溝８は、屈折部や屈曲部を有することなく（角部により折れ曲がる部分を有していない）斜めに延伸しているので、案内子７は、屈折部や屈曲部に引っかかったり止まったりすることなく移動できる。言い換えると、使用者は図５（ｄ）の状態から図５（e）の状態まで、スムーズに戸板を移動させることができる。
【００９１】
図５（e）は、吊り戸板５と移動戸板６とが、軸支位置１１を基点に回動して折畳まれた状態を示している。吊り戸板５と移動戸板６とは、お互いに合わさったまま、横枠４に対して略平行になるまで折畳まれる。
【００９２】
案内子７は、案内溝８の終点１０まで移動可能である。案内溝８の終点１０は、仮想直線３０に対して、厚みβだけ表側（室内側）に移動した位置に存在する。すなわち厚みβ分だけ、仮想直線３０の表側に位置する。ここで、厚みβは、吊り戸板５の厚みに移動戸板６の背面から案内子７までの厚みを加えた長さで定まる。吊り戸板５と移動戸板６とが折畳まれた状態の場合には、案内子７は、仮想直線３０に対して、厚みβだけ表側に位置するはずである。案内溝８は、この案内子７の移動に必要な位置に始点９と終点１０を有しているので、吊り戸板５と移動戸板６とは、図５（e）に示されるように、横枠４に対して略平行になる位置まで折畳まれる。
【００９３】
吊り戸板５と移動戸板６とが折畳まれることで、戸板が室内側に出っ張ることもなく、内部空間２１が完全に開放される。
【００９４】
加えて、実施の形態１における折れ戸であれば、案内溝８の終点１０が、第１縦枠２を超える位置に存在するので、移動戸板６は、第１縦枠２を超えて折畳まれる。このため、従来技術の折れ戸のように、移動戸板が折畳まれたあとでも、移動戸板の一部が内部空間に残ることがない。図５より明らかな通り、吊り戸板５と移動戸板６とは、ほぼ同一の幅を有しており、吊り戸板５と移動戸板６との端部が、いずれも軸支位置１１まで到達できる。
【００９５】
軸支位置１１は、第１縦枠２と内部空間２１との境界に位置するので、吊り戸板５と移動戸板６との端部が軸支位置１１まで到達できる。この結果、吊り戸板５と移動戸板６とは、内部空間２１から完全に外部に外れる。この結果、内部空間２１は、戸板に遮蔽されることなく完全に開放される。このため、実施の形態１における折れ戸１は、室内の開放感を最大にまで高めることができる。
【００９６】
実施の形態１では、吊り戸板５と移動戸板６が設置された折れ戸１を説明したが、吊り戸板５と移動戸板６が設置されていない折れ戸用枠体のみであっても、上述の効果を有する。折れ戸用枠体のみであっても、横枠４に斜めかつ屈折のない案内溝８が設けられており、事後的に取り付けられる吊り戸板５と移動戸板６を、案内溝８、はスムーズに移動させて折畳むことができる。
【００９７】
当然ながら、折れ戸１の状態で流通、提供、販売されてもよく、折れ戸用枠体の状態で流通、提供、販売されてもよい。流通や販売の都合によって、提供の態様が決められればよい。折れ戸用枠体のみで提供されて、折れ戸用枠体が家屋に取り付けられる際に、吊り戸板５と移動戸板６が取り付けられればよい。また、折れ戸１のそれぞれの部材（第１縦枠２、第２縦枠３、横枠４、吊り戸板５、移動戸板６などのそれぞれ）が、個別に提供されて、家屋や建物の組み立て現場において、個別の部材がくみ上げられて折れ戸１として完成されてもよい。また、折れ戸１は、窓枠や雨戸以外でも、クローゼットや作り付けの押入れなど、扉を有する家具や建具の扉として利用されても良い。
【００９８】
なお、図には示していないが、第１縦枠２、第２縦枠３および横枠４で形成される枠体の強度を向上させるために、支持枠が更に設けられてもよい。支持枠は、たとえば内部空間２１において、第１縦枠２と第２縦枠３とを結ぶ（横枠４と略平行でもよく、略平行でなくてもよい）ように設けられればよい。
【００９９】
以上のように、実施の形態１における折れ戸もしくは折れ戸用枠体によれば、戸板がスムーズに移動されて折畳まれ、内部空間が完全に開放される。特に、吊り戸板と移動戸板の双方が完全に内部空間から外れて折畳まれるので、室内の開放感が高まり、高級感のある雰囲気が生じる。加えて、使用期間の経過と共に、戸板の移動が悪くなることも少ない。
【０１００】
（実施の形態２）
次に、実施の形態２について図７を用いて説明する。
【０１０１】
図７は、本発明の実施の形態２における折れ戸の説明図である。図７（a）は、折れ戸の正面図であり、図７（ｂ）、（ｃ）は、図７(a)に示す折れ戸の横枠の説明図である。
【０１０２】
実施の形態２では、４枚の戸板（吊り戸板と移動戸板がそれぞれ２枚）を有する折れ戸４０について説明する。
【０１０３】
折れ戸４０は、実施の形態１の折れ戸１と同じく、第１縦枠２、第２縦枠３、横枠４を有している。更に、吊り戸板５a、吊り戸板５ｂ、移動戸板６a、移動戸板６ｂを備えている。移動戸板６aは、案内溝８aと嵌合する案内子７aを備えており、移動戸板６ｂは、案内溝８ｂと嵌合する案内子７ｂを備えている。
【０１０４】
吊り戸板５aは、軸支位置１１aにおいて第１縦枠２に軸支される。吊り戸板５aと移動戸板６ａとが接続位置１２aにおいて接続され、軸支位置１１aを基点として、吊り戸板５aと移動戸板６aとがセットになっている。吊り戸板５ｂは、軸支位置１１ｂにおいて第２縦枠３に軸支される。吊り戸板５ｂと移動戸板６ｂとが接続位置１２ｂにおいて接続され、軸支位置１１ｂを基点として、吊り戸板５ｂと移動戸板６ｂとがセットになっている。
【０１０５】
すなわち、吊り戸板５aと移動戸板６aとが一体になって開閉し、吊り戸板５ｂと移動戸板６ｂとが一体になって開閉する。吊り戸板５aと移動戸板６aとは、軸支位置１１aを基点に第１縦枠２から内部空間２１の中央に向かって閉じ、軸支位置１１aを基点に第１縦枠２に向かって移動して折り畳まれる。これに対して、吊り戸板５ｂと移動戸板６ｂとは、軸支位置１１ｂを基点に第２縦枠３から内部空間２１の中央に向かって閉じ、軸支位置１１ｂを基点に第２縦枠３に向かって移動して折り畳まれる。
【０１０６】
吊り戸板５aと移動戸板６aとのセットと、吊り戸板５ｂと移動戸板６ｂとのセットによって、内部空間２１が閉鎖および開放される。なお、図７においては、２セットの吊り戸板と移動戸板により説明したが、折れ戸４０は、３以上のセットを有してもよく、セットのそれぞれは、吊り戸板と移動戸板以外の中間板を有していてもよい。
【０１０７】
図７に示される折れ戸４０の横枠４は、２つの案内溝８aと８ｂを備える。ここで、図７（ｂ）、（ｃ）から明らかな通り、案内溝８aと案内溝８ｂとは、始点９a、９ｂ同士で接続されており、物理的には一本の溝になっている。しかし、あくまで案内溝８aと案内溝８ｂとが始点９a、始点９ｂで便宜上接続されているだけで、横枠４は、２つの案内溝８a、８ｂを有している。案内溝８aは、始点９aから終点１０aにかけて斜めであってかつ屈折部がなく、案内溝８ｂは、始点９ｂから終点１０ｂにかけて斜めであってかつ屈折部がない。製造の容易性などの点から複数の案内溝が接続されて見た目上一つの案内溝になったとしても、個々の案内溝は、「始点から終点にかけて斜めかつ屈折部を有しない」との本発明の要素を有している。
【０１０８】
案内溝８aは、始点９aと終点１０aを有しており、横枠４の略中央から第１縦枠２にかけて延伸している。上述の通り、始点９aから終点１０aにかけては、案内溝８aは、斜めかつ屈折していない（折れ曲がる部分である屈折部を有しない）。
【０１０９】
また始点９aの位置は、実施の形態１で説明したとおり、軸支位置１１aが横枠４と略平行に形成する仮想直線３０に対して、背側へ厚みαだけ移動した位置に存在する。すなわち厚みα分だけ、仮想直線３０の背側に位置する。ここで、厚みαは、移動戸板６aの前面３１（室内側の面）から案内子７aまでの長さで定まる。始点９ｂも、始点９aと同様の位置関係を有する。
【０１１０】
また、終点１０aは、仮想直線３０に対して、厚みβだけ表側（室内側）に移動した位置に存在する。すなわち厚みβ分だけ、仮想直線３０の表側に位置する。ここで、厚みβは、吊り戸板５aの厚みに移動戸板６aの背面から案内子７aまでの厚みを加えた長さで定まる。吊り戸板５aと移動戸板６aとが折畳まれた状態の場合には、案内子７aは、仮想直線３０に対して、厚みβだけ表側に位置するはずである。案内溝８aは、この案内子７aの移動に必要な位置に始点９aと終点１０aを有しているので、吊り戸板５aと移動戸板６aとは、横枠４に対して略平行になる位置まで折畳まれる。当然ながら、案内溝８ｂの終点１０ｂも、終点１０aと同様の位置関係を有する。
【０１１１】
案内溝８aと案内溝８ｂとは、このような位置関係で定まる始点９a、９ｂと終点１０a、１０ｂを有することで、吊り戸板５a、５ｂおよび移動戸板６a、６ｂが内部空間２１から完全に外れるように折り畳まれる。この機構については実施の形態１で説明したとおりである。
【０１１２】
戸板の動作について説明する。
【０１１３】
まず、吊り戸板５aは、軸支位置１１aにて第１縦枠２において軸支されている。移動戸板６ａは、接続位置１２ａにおいて吊り戸板５ａと折り曲げ可能に接続している。移動戸板６ａの先端には、案内子７ａが、案内溝８ａに嵌合するように設けられている。案内子７ａは、案内溝８ａを移動する。移動戸板６ａが手前に引かれると、案内子７ａが、案内溝８ａを移動しながら、移動戸板６ａと吊り戸板５ａは室内側に折れ曲がりながら内部空間２１を徐々に広げていく。
【０１１４】
案内子７ａが第１縦枠２に近接すると、移動戸板６ａと吊り戸板５ａとが合わさって第１縦枠２の位置まで移動する。案内子７ａが更に案内溝８ａを終点１０ａまで進むと、移動戸板６ａと吊り戸板５ａとが折畳まれる。折畳まれると、移動戸板６ａと吊り戸板５ａとが横枠４に対して略平行となって、戸板は、室内に出っ張ることがなくなる。加えて、実施の形態１で説明したとおり、移動戸板６ａと吊り戸板５ａとは同じ幅を有しているので、内部空間２１に戸板の一部が残ることもない。また、案内溝８ａは、始点９ａから終点１０ａにいたるまで斜めかつ屈折部を有していないので、案内子７ａは、案内溝８ａをスムーズに移動できる。使用者が戸板を移動させる場合にも、戸板が案内溝８ａの中で引っかかったり、詰まったりして、移動させにくいこともない。また、使用期間が長くなったとしても、移動動作が困難になるなどの問題もない。
【０１１５】
同様に、吊り戸板５ｂは、軸支位置１１ｂにて第２縦枠３において軸支されている。移動戸板６ｂは、接続位置１２ｂにおいて吊り戸板５ｂと折り曲げ可能に接続している。移動戸板６ｂの先端には、案内子７ｂが、案内溝８ｂに嵌合するように設けられている。案内子７ｂは、案内溝８ｂを移動する。移動戸板６ｂが手前に引かれると、案内子７ｂが、案内溝８ｂを移動しながら、移動戸板６ｂと吊り戸板５ｂは室内側に折れ曲がりながら内部空間２１を徐々に広げていく。
【０１１６】
案内子７ｂが第２縦枠３に近接すると、移動戸板６ｂと吊り戸板５ｂとが合わさって第２縦枠３の位置まで移動する。案内子７ｂが更に案内溝８ｂを終点１０ｂまで進むと、移動戸板６ｂと吊り戸板５ｂとが折畳まれる。折畳まれると、移動戸板６ｂと吊り戸板５ｂとが横枠４に対して略平行となって、戸板は、室内に出っ張ることがなくなる。加えて、実施の形態１で説明したとおり、移動戸板６ｂと吊り戸板５ｂとは同じ幅を有しているので、内部空間２１に戸板の一部が残ることもない。また、案内溝８ｂは、始点９ｂから終点１０ｂにいたるまで斜めかつ屈折部（屈折部は、折れ曲がりなどをさす）を有していないので、案内子７ｂは、案内溝８ｂをスムーズに移動できる。使用者が戸板を移動させる場合にも、戸板が案内溝８ｂの中で引っかかったり、詰まったりして、移動させにくいこともない。また、使用期間が長くなったとしても、移動動作が困難になるなどの問題もない。
【０１１７】
図７（ｄ）、図７（ｅ）は、戸板が移動して、内部空間２１を完全に開放するように折畳まれた状態を示す。図７（ｄ）、図７（ｅ）に示されるように、吊り戸板５ａと移動戸板６ａのセットは、第１縦枠２側に折畳まれ、吊り戸板５ｂと移動戸板６ｂのセットは、第２縦枠３側に折畳まれる。戸板が折畳まれ、内部空間２１が完全に開放される。
【０１１８】
このように、４枚の戸板を有する折れ戸４０であっても、内部空間２１が完全に開放されると共に、力の弱い女性や子供でも容易かつ確実に開閉を行える。
【０１１９】
（実施の形態３）
次に実施の形態３について図８〜図１０を用いて説明する。
【０１２０】
実施の形態３は、窓枠に折れ戸が取り付けられた、折れ戸つき窓を説明する。
【０１２１】
図８は、本発明の実施の形態３における折れ戸つき窓の説明図である。図８（ａ）は、折れ戸を下から見た説明図を、図８（ｂ）は、折れ戸を正面から見た正面図を示す。
【０１２２】
図８から明らかな通り、折れ戸５０は、窓枠５１に取り付けられる。折れ戸５０は、窓枠５１の室内側に取り付けられて、折れ戸５０の閉鎖時には、窓枠５１が隠される。
【０１２３】
折れ戸５０は、実施の形態１、２で説明したとおり、吊り戸板５ａ、５ｂおよび移動戸板６ａ、６ｂとは、案内溝８ａ、８ｂを移動して、内部空間２１を開放できるところまで折畳まれる。吊り戸板５ａと移動戸板６ａは、第１縦枠２側に移動して、第１縦枠２を基点に折畳まれる。吊り戸板５ａと移動戸板６ａは、横枠４に略平行になって、第１縦枠２の外側に折畳まれる。
【０１２４】
一方、吊り戸板５ｂと移動戸板６ｂは、第２縦枠３側に移動して、第２縦枠３を基点に折畳まれる。吊り戸板５ｂと移動戸板６ｂは、横枠４に略平行になって、第２縦枠３の外側に折畳まれる。
【０１２５】
この結果、戸板のすべてが内部空間２１から外れて、窓枠５１が室内側に開放される。図９は、この状態を示している。図９は、本発明の実施の形態３における折れ戸つき窓の説明図である。図９にしめされるように、戸板のすべてが移動して折畳まれることで、窓枠５１が完全に開放される。このとき、実施の形態１，２で説明したとおり、吊り戸板５ａ、５ｂと移動戸板６ａ、６ｂのすべてが内部空間２１から外れる。これは、案内溝８ａ，８ｂが始点から終点まで斜めかつ屈折部を有さずに形成されているからであり、その位置関係が実施の形態で説明したαとβにより定まるからである。案内溝８ａ、８ｂの始点９ａ、９ｂと終点１０ａ、１０ｂとがこのような位置関係を有すれば、吊り戸板５と移動戸板６とが同じ幅となって、軸支位置１１を基点に折畳まれて、移動戸板６の端部が縦枠の外まで移動するからである。
【０１２６】
図１０は、窓枠５１が開放される状態を示している。図１０は、本発明の実施の形態３における折れ戸つき窓の斜視図である。図１０（ａ）は、戸板が閉じている状態を示しており、図１０（ｂ）は、戸板が完全に開いて窓枠５１を開放している状態を示している。
【０１２７】
このように、戸板の移動と折畳みにより、窓枠５１の閉鎖と開放が実現される。
【０１２８】
本発明の折れ戸は、実施の形態３で説明されたように、窓枠とセットで組み立てられた折れ戸つき窓で流通しても良い。あるいは、窓枠と折れ戸とが別に流通されて、家屋や建物の組み立ての際に、折れ戸が窓枠にくみ上げられてもよい。
【０１２９】
実施の形態１〜３で説明した態様は、本発明の一例に過ぎず、本発明の趣旨を損なわない限り、種々の変形を含む。
【図面の簡単な説明】
【０１３０】
【図１】本発明の実施の形態1における折れ戸の斜視図
【図２】本発明の実施の形態１における折れ戸の斜視図
【図３】本発明の実施の形態１における折れ戸の斜視図
【図４】本発明の実施の形態１における折れ戸の斜視図
【図５】本発明の実施の形態１における案内溝での移動動作を示す説明図
【図６】本発明の実施の形態１における案内溝の説明図
【図７】本発明の実施の形態２における折れ戸の説明図
【図８】本発明の実施の形態３における折れ戸つき窓の説明図
【図９】本発明の実施の形態３における折れ戸つき窓の説明図
【図１０】本発明の実施の形態３における折れ戸つき窓の説明図
【符号の説明】
【０１３１】
１    折れ戸
２    第１縦枠
３    第２縦枠
４    横枠
５    吊り戸板
６    移動戸板
７    案内子
８    案内溝
９    始点
１０    終点
１１    軸支位置
１２    接続位置
【図１】
2010007372.tif 000003
【図２】
2010007372.tif 000004
【図３】
2010007372.tif 000005
【図４】
2010007372.tif 000006
【図５】
2010007372.tif 000007
【図６】
2010007372.tif 000008
【図７】
2010007372.tif 000009
【図８】
2010007372.tif 000010
【図９】
2010007372.tif 000011
【図１０】
2010007372.tif 000012